(57)【特許請求の範囲】
【請求項１】
メモリ領域を有し、情報読取装置に対して前記メモリ領域に書き込まれた提供情報を非接触で送信可能な非接触型ＩＣチップと、
気温、明るさ、方位、位置又は日時の少なくとも何れか一つの情報を検出する情報デバイスと、
前記情報デバイスにより検出され得る前記情報と提供すべき提供情報とを対応付けた対応情報を参照し、前記情報デバイスにより検出された情報に対応する提供情報を決定し、前記メモリ領域に書き込むコントローラと、
を備えることを特徴とする非接触型通信装置。
【請求項２】
前記提供情報が書き込まれる前記メモリ領域とは別の第２のメモリ領域を備え、前記対応情報は、第２のメモリ領域に記録されていることを特徴とする請求項１に記載の非接触型通信装置。
【請求項３】
メモリ領域を有し、情報読取装置に対して前記メモリ領域に書き込まれた情報を非接触で送信可能な非接触型ＩＣチップを有する非接触型通信装置であって、
気温、明るさ、方位、位置又は日時の少なくとも何れか一つの情報を検出する情報デバイスと、
前記情報デバイスが検出した情報に基づいて前記情報読取装置に対して提供する提供情報を決定するサーバ装置にアクセスするためのアクセス情報と、前記情報デバイスが検出した情報とを前記メモリ領域に書き込む書込手段と、
を備えることを特徴とする非接触型通信装置。
【発明の詳細な説明】
【技術分野】
【０００１】
本発明は、ＩＣ（Integrated Circuit）カードの技術分野に関する。
【背景技術】
【０００２】
従来、非接触型ＩＣカードのメモリ領域に記録された情報を読み取ることができる携帯型端末機（以下、「ＩＣカード対応携帯端末」）が普及している。これに伴い、情報が記録された非接触型ＩＣカード（ＩＣタグ）を街頭や展示会場等に設け、ユーザにＩＣカード対応携帯端末をかざしてもらうことで、ユーザに情報を提供する利用形態が広まっている。今後はこうした利用形態において固定的な情報のみならず、提供者の意図や被提供者（ユーザ）のニーズに適合する多様な情報を提供することが望まれる。
【０００３】
一方で、ＩＣカードのメモリ領域に記録された情報を書き換える技術が特許文献１や特許文献２等に記載されている。これらの特許文献に記載された技術は、ＩＣカードとは別個のリーダライタを用いてＩＣカードのメモリ領域に記録された情報を書き換えるものである。
【先行技術文献】
【特許文献】
【０００４】
【特許文献１】特開２００９−１４００２６号公報
【特許文献２】特開２００６−５９３０２号公報
【発明の概要】
【発明が解決しようとする課題】
【０００５】
しかしながら、リーダライタを用いてＩＣカードのメモリ領域に記録された情報を書き換える場合には、作業者が、記憶させるべき情報の内容に応じてリーダライタの設定を変更した上で書き換え作業を行う必要があり、書き換え対象のＩＣカードが大量に存在する場合などはその作業量が膨大になるという問題がある。
【０００６】
本発明は、このような問題に鑑みて為されたものであり、作業者がリーダライタを用いて書き換え作業を行う必要が無く、自己でメモリ領域に記憶させる情報を書き換えることにより、多様な提供情報をユーザに提供することができる非接触型ＩＣカード機能を有する非接触型通信装置等を提供することを課題とする。
【課題を解決するための手段】
【０００７】
上記課題を解決するために、請求項１に記載の発明は、メモリ領域を有し、情報読取装置に対して前記メモリ領域に書き込まれた提供情報を非接触で送信可能な非接触型ＩＣチップと、気温、明るさ、方位、位置又は日時の少なくとも何れか一つの情報を検出する情報デバイスと、前記情報デバイスにより検出され得る前記情報と提供すべき提供情報とを対応付けた対応情報を参照し、前記情報デバイスにより検出された情報に対応する提供情報を決定し、前記メモリ領域に書き込むコントローラと、を備えることを特徴とする。
【０００８】
本発明によれば、情報デバイスが検出する情報に基づいて決定した提供情報をメモリ領域に書き込むことから、作業者がリーダライタを用いて書き換え作業を行う必要が無く、多様な情報をユーザに提供することができる。
【０００９】
請求項２に記載の発明は、前記提供情報が書き込まれる前記メモリ領域とは別の第２のメモリ領域を備え、前記対応情報は、第２のメモリ領域に記録されていることを特徴とする請求項１に記載の非接触型通信装置である。
【００１０】
請求項３に記載の発明は、メモリ領域を有し、情報読取装置に対して前記メモリ領域に書き込まれた情報を非接触で送信可能な非接触型ＩＣチップを有する非接触型通信装置であって、気温、明るさ、方位、位置又は日時の少なくとも何れか一つの情報を検出する情報デバイスと、前記情報デバイスが検出した情報に基づいて前記情報読取装置に対して提供する提供情報を決定するサーバ装置にアクセスするためのアクセス情報と、前記情報デバイスが検出した情報とを前記メモリ領域に書き込む書込手段と、を備えることを特徴とする。
【００１１】
本発明によれば、情報デバイスが検出した情報に基づいて提供情報を決定するサーバ装置に情報読取装置が当該情報デバイスが検出した情報を送信できるように、メモリ領域に当該情報デバイスが検出した情報と当該サーバ装置にアクセスするためのアクセス情報とを書き込むことから、作業者がリーダライタを用いて書き換え作業を行う必要が無く、情報デバイスが検出した情報に基づいて決定される多様な提供情報を、サーバ装置を介してユーザに提供することができる。
【００１４】
他の発明は、情報読取装置に対して自己のメモリ領域に書き込まれた提供情報を非接触で送信可能な非接触型ＩＣカード機能を有するＩＣカード情報書換装置であって、提供情報を決定するための基情報を外部から受け付ける外部インターフェース手段と、前記外部インターフェース手段が受け取り得る基情報と提供すべき提供情報とを対応付けた対応情報を参照し、前記外部インターフェース手段が受け取った基情報に対応する提供情報を決定する決定手段と、前記決定した提供情報を前記メモリ領域に書き込む書込手段と、を備えることを特徴とする。
【００１５】
本発明によれば、外部から受け付けた基情報に基づいて決定した提供情報をメモリ領域に書き込むことから、作業者がリーダライタを用いて書き換え作業を行う必要が無く、多様な情報をユーザに提供することができる。
【００１６】
他の発明は、前記提供情報が書き込まれる前記メモリ領域とは別の第２のメモリ領域を備え、前記対応情報は、第２のメモリ領域に記録されていることを特徴とする請求項５に記載のＩＣカード情報書換装置である。
【００１７】
他の発明は、情報読取装置に対して自己のメモリ領域に書き込まれた情報を非接触で送信可能な非接触型ＩＣカード機能を有するＩＣカード情報書換装置であって、提供情報を決定するための基情報を外部から受け付ける外部インターフェース手段と、前記基情報に基づいて前記情報読取装置に対して提供する提供情報を決定するサーバ装置にアクセスするためのアクセス情報と、前記外部インターフェース手段が受け取った基情報とを前記メモリ領域に書き込む書込手段と、を備えることを特徴とする。
【００１８】
本発明によれば、基情報に基づいて提供情報を決定するサーバ装置に情報読取装置が当該基情報を送信できるように、メモリ領域に外部から受け付けた基情報と当該サーバ装置にアクセスするためのアクセス情報とを書き込むことから、作業者がリーダライタを用いて書き換え作業を行う必要が無く、基情報に基づいて決定される多様な提供情報を、サーバ装置を介してユーザに提供することができる。
【００１９】
他の発明は、情報読取装置に対して自己のメモリ領域に書き込まれた提供情報を非接触で送信可能な非接触型ＩＣカード機能を有するＩＣカード情報書換装置であって、提供情報を外部から受け付ける外部インターフェース手段と、前記外部インターフェース手段が受け取った提供情報を前記メモリ領域に書き込む書込手段と、を備えることを特徴とする。
【００２０】
本発明によれば、外部から受け付けた提供情報をメモリ領域に書き込むことから、作業者がリーダライタを用いて書き換え作業を行う必要が無く、提供情報をユーザに提供することができる。
【発明の効果】
【００２１】
本発明によれば、情報デバイスが検出した情報に基づいて決定される提供情報をユーザに提供するための情報を自らメモリ領域に書き込むことから作業者がリーダライタを用いて書き換え作業を行う必要が無く、多様な情報をユーザに提供することができる。
【図面の簡単な説明】
【００２２】
【図１】第１実施形態に係る情報提供システムＳの概略構成を示す図である。
【図２】第１実施形態に係る非接触型通信装置１の概要構成を示すブロック図である。
【図３】第１実施形態に係る携帯端末Ｍの概要構成を示すブロック図である。
【図４】第１実施形態に係る提供情報決定条件の一例を説明するための図である。
【図５】第１実施形態に係る非接触型通信装置１の動作例を示すフローチャートである。
【図６】第１実施形態に係る非接触型通信装置１の動作例を示すフローチャートである。
【図７】第１実施形態に係る情報提供システムＳの動作例を示すシーケンス図である。
【図８】第２実施形態に係る情報提供システムＳＡの概略構成を示す図である。
【図９】第２実施形態に係るＵＲＬ作成方法の一例を説明するための図である。
【図１０】第２実施形態に係る情報配信サーバ２の概要構成を示すブロック図である。
【図１１】第２実施形態に係る非接触型通信装置１の動作例を示すフローチャートである。
【図１２】第２実施形態に係る非接触型通信装置１の動作例を示すフローチャートである。
【図１３】第２実施形態に係る情報提供システムＳＡの動作例を示すシーケンス図である。
【図１４】第３実施形態に係る情報提供システムＳＢの概略構成を示す図である。
【図１５】第３実施形態に係るＩＣカード情報書換装置１Ｂの概要構成を示すブロック図である。
【図１６】第３実施形態に係る提供情報決定条件の一例を説明するための図である。
【図１７】第３実施形態に係るＩＣカード情報書換装置１Ｂの動作例を示すフローチャートである。
【図１８】第４実施形態に係る情報提供システムＳＣの概略構成を示す図である。
【図１９】第４実施形態に係るＵＲＬ作成方法の一例を説明するための図である。
【図２０】第４実施形態に係るＩＣカード情報書換装置１Ｂの動作例を示すフローチャートである。
【発明を実施するための形態】
【００２３】
［１．第１実施形態］
以下、図面を参照して本発明の第１実施形態について説明する。
【００２４】
［１．１．情報提供システムＳの構成及び概要］
まず、図１を用いて第１実施形態における情報提供システムＳの構成及び機能について説明する。
【００２５】
図１に示すように、情報提供システムＳは、ユーザＵの携帯する非接触型のＩＣカード対応携帯端末Ｍ（以下、「携帯端末Ｍ」という）と、非接触型通信装置１と、を含んで構成されている。
【００２６】
非接触型通信装置１は、内蔵する非接触型ＩＣカードが記憶する提供情報を後述する提供情報決定条件に従って書き換える機能を有している。非接触型通信装置１は、例えば、ポスターや掲示板等の近くに設置され、非接触型ＩＣカードが記憶する提供情報の内容は、ポスターや掲示板等の表示内容に関連するものとなっている。そして、ユーザＵが携帯端末Ｍ（「情報読取装置」の一例）を非接触型通信装置１に近接させる（かざす）と、携帯端末Ｍが非接触で非接触型ＩＣカードに記録されている提供情報を読み取る。これにより、ユーザＵは提供情報を受け取ることができるようになっている。
【００２７】
［１．２．非接触型通信装置１の構成］
次に、非接触型通信装置１の構成について、図２を用いて説明する。
【００２８】
図２に示すように、非接触型通信装置１は、アンテナ１３とＩＣカードチップ１２とから構成される非接触型ＩＣカードに相当する部分１０（以後簡単に非接触ＩＣカード１０と記す）と、コントローラ１１と、情報デバイス１４と、メモリ１５とを備えている。コントローラ１１と、ＩＣカードチップ１２と、メモリ１５はバスで接続されている。
【００２９】
コントローラ１１（「決定手段」、「書込手段」の一例）は、ＣＰＵ（Central Processing Unit）、ＲＯＭ（Read Only Memory）、ＲＡＭ（Random Access Memory）、情報デバイス１４と電気的に接続し、情報デバイス１４の出力信号を受け入れるインターフェース回路（入出力ポートともいう）、等により構成されている。ＣＰＵが、ＲＯＭに記憶された各種プログラムを読み出し実行することにより各種機能を実現する。コントローラ１１は、前記入出力ポートを通じて情報デバイス１４から基情報を受け取り、提供情報決定条件を示す提供情報決定条件情報（「対応情報」の一例）を参照して、ＩＣカードチップ１２における後述するメモリ１２ｄに書き込む提供情報を決定する。次いで、コントローラ１１は、決定した提供情報によりＩＣカードチップ１２のメモリ１２ｄに記録されている提供情報を更新する。
【００３０】
ＩＣカードチップ１２は、整流回路１２ａ、復調回路１２ｂ、変調回路１２ｃ、メモリ１２ｄ、（ＩＣカードチップ１２の）コントローラ１２ｅ等を備えている。整流回路１２ａは、アンテナ１３の入力を交流から直流に整流する。復調回路１２ｂは、携帯端末Ｍから入力される搬送波に重畳されたコマンドやデータをデジタルデータに復調する。変調回路１２ｃは、携帯端末Ｍに送信するコマンドやデータを搬送波に重畳させる。メモリ１２ｄ（「メモリ領域」の一例）は、ＩＣカードチップ１２固有のカードＩＤや、提供情報等を記憶する。カードＩＤは、製造時に付与されたものを固定的に記憶することとしてもよいし、コントローラ１１により適宜変更されることとしてもよいが、後者の場合にはカードＩＤを用いて携帯端末Ｍと通信をする場合にセキュリティ面で優位である。また、メモリ１２ｄにおいて提供情報が記録される領域は定められており、その領域を提供情報格納領域と呼ぶ。
【００３１】
コントローラ１２ｅは、携帯端末Ｍなどの外部の非接触型情報機器との間で、非接触型通信、例えばＮＦＣ(Near Field Communication)通信プロトコルに従ったコマンド・データのやり取りを行う。受け付けたコマンドにしたがってメモリ１２ｄの内容を出力したりメモリ１２ｄの内容を書換えたりする。また、コントローラ１２ｅは、非接触型通信をしていないときは、コントローラ１１から切替制御信号を受けることにより、コントローラ１１がメモリ１２ｄの内容の読み出し書き込みすることを可能とする。
【００３２】
情報デバイス１４（「基情報提示手段」の一例）は、コントローラ１１が提供情報を決定する際の基となる基情報を検出等するデバイスである。基情報が気温や明るさなどのアナログ量に起因する場合は、そのためのセンサーとＡＤ変換回路（基情報生成部）、および、基情報をコントローラ１１にデジタル信号情報として送信するためのインターフェース（インターフェース部）を備える。基情報が元々デジタル量である場合は、基情報生成部（ＧＰＳ受信機、時計など）とインターフェース部から構成されることになる。コントローラ１１は、情報デバイス１４のデジタル出力信号をコントローラ１１内の入出力ポートを通じて、例えば８ｂｉｔのデジタルデータとして基情報を受け入れ、基情報そのものを提供情報とし、又は該基情報に基づいて提供情報決定条件を判定することにより提供情報を決定する。情報デバイス１４としては、(i)気温センサー、(ii)明るさセンサー、(iii)方位センサー、(iv)ＧＰＳ（Global Positioning System）受信機、(v)時計デバイス、(vi)カウンタメモリ、などが想定される。
【００３３】
(i)気温センサー（「環境特定デバイス」の一例）は非接触型通信装置１が設置されている場所の気温を検出するデバイスである。
(ii)明るさセンサー（「環境特定デバイス」の一例）は非接触型通信装置１が設置されている場所の明るさを検出するデバイスである。
(iii)方位センサー（「向き特定デバイス」の一例）は非接触型通信装置１が設置されている向きを検出するデバイスである。
(iv)ＧＰＳ受信機（「設置場所特定デバイス」の一例）は非接触型通信装置１が設置されている位置を検出するデバイスである。
(v)時計デバイス（「日時特定デバイス」の一例）は非接触型通信装置１が設置されている場所の日時を計時又は検出するデバイスである。時計デバイスは、自らが日時を計時するものであってもよいし、他のサーバ等から現在日時を取得するものであってもよい。
(vi)カウンタメモリ（「回数記憶デバイス」の一例）は、コントローラ１１の制御の下、非接触型通信装置１に携帯端末Ｍがかざされる（具体的には、非接触型通信装置１が携帯端末Ｍを検知する）度に「１」が加算されるカウンタを記憶するデバイスである。すなわち、カウンタは非接触型通信装置１に携帯端末Ｍがかざされた回数を示す。なお、カウンタは情報デバイス１４としてではなくメモリ１５又はメモリ１２ｄに設けることとしてもよい。
【００３４】
メモリ１５（「第２のメモリ領域」の一例）は不揮発性メモリ等により構成されており、提供情報を決定する際に参照される提供情報決定条件情報等を記憶するデバイスである。
【００３５】
［１．３．携帯端末Ｍの構成］
次に、携帯端末Ｍの構成について、図３を用いて説明する。
【００３６】
図３に示すように、携帯端末Ｍは、制御部３１と、記憶部３２と、通信部３３と、タッチパネル３４と、ボタン操作部３５と、非接触型ＩＣチップ３６とを備えている。通信部３３は、ネットワークを介した他の装置との通信を制御するようになっている。
【００３７】
記憶部３２は、例えば、不揮発性メモリ等により構成されており、オペレーティングシステムや、アプリケーションプログラム等の各種プログラムを記憶する。また、記憶部３２はカード情報読み取りアプリケーションプログラム（以下、「カード読み取りアプリ」という）を記憶する。カード読み取りアプリには、非接触型通信装置１のメモリ１２ｄにおける提供情報格納領域のアドレスが規定されており、提供情報格納領域に格納された提供情報を取得できるようになっている。なお、各種プログラムは、例えば、他のサーバ装置等からネットワークを介して取得されるようにしても良いし、記録媒体に記録されて外付けドライブ装置を介して読み込まれるようにしても良い。
【００３８】
タッチパネル３４は、例えば、静電容量方式のタッチパネルと表示装置とからなり、入力装置及び表示装置として機能する。例えば、表示装置により表示された画面においてオブジェクトが表示された領域をユーザＵがタッチすることによって、当該オブジェクトが選択されるようになっている。また、ボタン操作部３５は、ユーザＵが押下することによりボタン押下信号が制御部３１に送信され、例えば、表示装置により表示されている画面が閉じられるようになっている。つまり、ユーザＵは、タッチパネル３４とボタン操作部３５に対する入力操作により、携帯端末Ｍに情報を入力することができるようになっている。
【００３９】
非接触型ＩＣチップ３６は、アンテナ、整流回路、復調回路、変調回路、記憶部等を備えている。整流回路は、アンテナの入力を交流から直流に整流する。復調回路は、非接触型通信装置１から入力される搬送波に重畳されたコマンドやデータをデジタルデータに復調する。変調回路は、非接触型通信装置１に送信するコマンドやデータを搬送波に重畳させる。
【００４０】
制御部３１は、ＣＰＵ、ＲＡＭ等により構成されている。そして、ＣＰＵが、記憶部３２に記憶された各種プログラムを読み出し実行することにより各種機能を実現する。
【００４１】
［１．４．提供情報決定条件］
次に、図４を用いて、コントローラ１１が提供情報を決定する際に参照される提供情報決定条件について説明する。ここでは、情報デバイス１４が上記(i)〜(vi)の各デバイスである場合の提供情報決定条件の一例について説明する。
【００４２】
情報デバイス１４が(i)気温センサーである場合に、コントローラ１１は、気温センサーが検出した気温によって、提供情報を決定する。例えば、コントローラ１１は、気温が25℃以上である場合には「只今の気温○○℃。アイスクリームは如何？」（○○には検出された気温がセットされる）といったテキスト情報を提供情報として決定し、気温が25℃未満且つ10℃以上である場合には「只今の気温○○℃。チョコレートパフェは如何？」といったテキスト情報を提供情報として決定し、気温が10℃未満である場合には「只今の気温○○℃。フォンダンショコラは如何？」といったテキスト情報を提供情報として決定する。この例の場合、非接触型通信装置１をレストランのメニューを表す看板付近に設置するとよい。これにより、非接触型通信装置１付近の気温に応じたおすすめメニュー（提供情報の一例）をユーザＵに提供することができる。
【００４３】
情報デバイス１４が(ii)明るさセンサーである場合、コントローラ１１は、明るさセンサーが検出した照度によって、提供情報を決定する。例えば、コントローラ１１は、照度が10ルクス未満である場合には「暗いから足下に気をつけて！」といったテキスト情報を提供情報として決定し、照度が10ルクス以上である場合には「先を急ぎましょう。」といったテキスト情報を提供情報として決定する。これにより、非接触型通信装置１付近の照度に応じたテキスト情報をユーザＵに提供することができる。
【００４４】
情報デバイス１４が(iii)方位センサーである場合、コントローラ１１は、方位センサーが検出した非接触型通信装置１が向いている向きによって、提供情報を決定する。例えば、コントローラ１１は、非接触型通信装置１が北向きである場合には「あなたは南を向いていますよ。」といったテキスト情報を提供情報として決定し、非接触型通信装置１が東向きである場合には「あなたは西を向いていますよ。」といったテキスト情報を提供情報として決定し、非接触型通信装置１が南向きである場合には「あなたは北を向いていますよ。」といったテキスト情報を提供情報として決定し、非接触型通信装置１が西向きである場合には「あなたは東を向いていますよ。」といったテキスト情報を提供情報として決定する。この例の場合、非接触型通信装置１を駅構内の地図看板付近に設置するとよい。これにより、非接触型通信装置１の向きに基づいて、ユーザＵが向いている方向（提供情報の一例）をユーザＵに提供することができ、ユーザＵに進行方向を把握させることができる。
【００４５】
情報デバイス１４が(iv)ＧＰＳ受信機である場合、コントローラ１１は、ＧＰＳ受信機が検出した現在位置によって、提供情報を決定する。例えば、コントローラ１１は、現在位置が北海道内である場合には「北海道と言えば、かにですよ！」といったテキスト情報を提供情報として決定し、現在位置が青森県内である場合には「青森と言えば、リンゴですよ！」といったテキスト情報を提供情報として決定し、現在位置が沖縄県内である場合には「沖縄と言えば、ゴーヤですよ！」といったテキスト情報を提供情報として決定する。これにより、非接触型通信装置１の設置場所に応じたテキスト情報をユーザＵに提供することができる。
【００４６】
情報デバイス１４が(v)時計デバイスである場合、コントローラ１１は、時計デバイスから取得される日時によって、提供情報を決定する。例えば、コントローラ１１は、現在時刻が23:00〜3:59である場合には「そろそろお休みになった方がいいですよ！」といったテキスト情報を提供情報として決定し、現在時刻が4:00〜8:59である場合には「今日も一日、がんばりましょう！」といったテキスト情報を提供情報として決定し、現在時刻が9:00〜11:59である場合には「お昼までがんばりましょう！」といったテキスト情報を提供情報として決定し、現在時刻が12:00〜16:59である場合には「眠気に負けず、がんばりましょう！」といったテキスト情報を提供情報として決定し、現在時刻が17:00〜22:59である場合には「今日も一日ご苦労様でした！」といったテキスト情報を提供情報として決定する。また、例えば時計デバイスから取得される日付が12月1日から12月23日の間であれば、「もうすぐクリスマス」といったテキスト情報を提供情報として決定することとしてもよい。これにより、非接触型通信装置１の設置場所における日時に応じたテキスト情報をユーザＵに提供することができる。
【００４７】
情報デバイス１４が(vi)カウンタメモリである場合、コントローラ１１は、カウンタの値によって、提供情報を決定する。例えば、コントローラ１１は、カウンタの値が0〜99、101〜199、201〜299、…、である場合には「本日はご来場ありがとうございます。」といったテキスト情報を提供情報として決定し、カウンタの値が100、200、…、のキリ番である場合には「おめでとうございます。あなたは１００（２００）人目のご来場者です。」といったテキスト情報を提供情報として決定する。この例の場合、非接触型通信装置１を観光スポットなどの入場ゲート付近に設置するとよい。これにより、ユーザＵが来場何人目であるかという情報（提供情報の一例）をユーザＵに提供することができる。
【００４８】
なお、図２では、説明の簡略化のため情報デバイス１４を一つだけ図示しているが、複数の情報デバイス１４を設け、コントローラ１１は、各情報デバイス１４から基情報を受け取り、提供情報を決定することとしてもよい。例えば、コントローラは、情報デバイス１４として(i)気温センサーと(iv)ＧＰＳ受信機を設け、(i)気温センサーから35℃を示す基情報を受け取り、(iv)ＧＰＳ受信機から北海道内を示す基情報を受け取った場合に、「異常気象ですかね。」といったテキスト情報を提供情報として決定することとしてもよい。
【００４９】
また、ここでは、提供情報としてテキスト情報を提供することとして説明するが、提供情報はテキスト情報に限らず、例えば、音声情報、画像情報等のコンテンツであってもよい。
【００５０】
［１．５．非接触型通信装置１の動作］
次に、図５及び図６を用いて非接触型通信装置１の動作について説明する。図５及び図６は、非接触型通信装置１が提供情報格納領域の提供情報を更新する際の処理例を示すフローチャートである。
【００５１】
コントローラ１１は、情報デバイス１４として上記(i)〜(v)の少なくとも何れかが非接触型通信装置１に設けられている場合には、定期的（例えば、情報デバイス１４から受け取る基情報が変化することが予想される間隔毎）に図５に示す処理を実行する。具体的には、まず、コントローラ１１は、情報デバイス１４から情報を取得する（ステップＳ１１）。このとき、コントローラ１１は、情報デバイス１４が(i)気温センサーである場合には気温を示す基情報を取得し、情報デバイス１４が(ii)明るさセンサーである場合には照度を示す基情報を取得し、情報デバイス１４が(iii)方位センサーである場合には向きを示す基情報を取得し、情報デバイス１４が(iv)ＧＰＳ受信機である場合には現在位置を示す基情報を取得し、情報デバイス１４が時計デバイスである場合には日時を示す基情報を取得する。
【００５２】
次に、コントローラ１１は、図４を用いて上述したように、情報デバイス１４から取得した基情報に基づいてテキストを決定する（ステップＳ１２）。次に、コントローラ１１は、ＩＣカードチップ１２内のメモリ１２ｄの提供情報格納領域を、ステップＳ１２の処理で決定したテキストにより更新する（ステップＳ１３）。
【００５３】
一方、コントローラ１１は、情報デバイス１４として上記(vi)が非接触型通信装置１に設けられている場合において、携帯端末Ｍが非接触型通信装置１にかざされたことを検知した場合（後述する図７のステップＳ１０１から、ステップＳ１０５の処理で提供情報格納領域から提供情報を読み出す前まで）に、図６に示す処理を実行する。具体的には、まず、コントローラ１１は、カウンタの値に「１」を加算し（ステップＳ２１）、次いで、その時点でのカウンタの値を取得する（ステップＳ２２）。
【００５４】
次に、コントローラ１１は、図４を用いて上述したように、カウンタの値に基づいてテキストを決定する（ステップＳ２３）。次に、コントローラ１１は、ＩＣカードチップ１２内のメモリ１２ｄの提供情報格納領域を、ステップＳ２３の処理で決定したテキストにより更新する（ステップＳ２４）。
【００５５】
［１．６．情報提供システムＳの動作］
次に、図７を用いて情報提供システムＳの動作について説明する。図７は、携帯端末Ｍ１が非接触型通信装置１のＩＣカードチップ１２に記憶された提供情報を取得し、表示する際の処理例を示すシーケンス図である。
【００５６】
携帯端末Ｍの非接触型ＩＣチップ３６は随時、カード探索（いわゆるポーリング）を行っており（ステップＳ１０１）、携帯端末Ｍと非接触型通信装置１が近接すると、非接触型通信装置１のコントローラ１２ｅは、非接触型ＩＣチップ３６（すなわち携帯端末Ｍ）の存在を検知し、メモリ１２ｄに記録されているカードＩＤを携帯端末Ｍに送信する（ステップＳ１０２）。
【００５７】
携帯端末Ｍの制御部３１は、非接触型通信装置１からカードＩＤを受信すると、情報読取対象のカードが見つかったと判断してカード読み取りアプリを起動する（ステップＳ１０３）。制御部３１は、カード読み取りアプリを実行し、受信したカードＩＤと、アプリに規定された提供情報格納領域のアドレスを示すメモリ領域指定情報とを含むカード読取コマンドを非接触型通信装置１に送信する（ステップＳ１０４）。
【００５８】
非接触型通信装置１のコントローラ１２ｅは、携帯端末Ｍからカード読取コマンドを受信すると、ステップＳ１０２の処理で送信したカードＩＤと同じカードＩＤがカード読取コマンドに含まれているか確認する。コントローラ１２ｅは、同じカードＩＤがカード読取コマンドに含まれていると判定した場合には、カード読取コマンドに含まれているメモリ領域指定情報の示すアドレスを参照し、メモリ１２ｄの提供情報格納領域に格納されているテキスト情報を携帯端末Ｍに送信する（ステップＳ１０５）。
【００５９】
なお、情報デバイス１４として(vi)カウンタメモリが設けられている場合には、上述したように、コントローラ１２ｅは、提供情報格納領域に格納されているテキストを読み出す前までに図６に示す処理をコントローラ１１に実行させることとする。すなわち、コントローラ１１は携帯端末Ｍが非接触型通信装置１にかざされたことによりカウンタの値を加算し、提供情報格納領域を更新する。その後、コントローラ１２ｅが提供情報格納領域に格納されているテキストを読み出して、携帯端末Ｍに送信することとなる。これを実現するため、情報デバイス１４として(vi)カウンタメモリが設けられているときは、コントローラ１２ｅは、コントローラ１１の完全なスレーヴとして動作するように制御される。即ち、コントローラ１２ｅは、携帯端末Ｍからのカード探索信号を感知した場合（図７のステップＳ１０１）、その旨をコントローラ１１に中継する。あるいは、カード読み取りコマンドを受けた場合（ステップＳ１０４）は、その内容をコントローラ１１に中継する。そしてコントローラ１１は、コントローラ１２ｅに対してカードＩＤ送信（ステップＳ１０２）やテキスト送信（ステップＳ１０５）の命令を発し、コントローラ１２ｅは、いちいちコントローラ１１の命令に従って動作する。コントローラ１１は、図６に示した処理を、ステップＳ１０１とＳ１０２の間、またはステップＳ１０４とＳ１０５の間のいずれかにおいて実行する。（もっとも、情報デバイス１４として(vi)カウンタメモリが設けられていない場合でもコントローラ１２ｅを、コントローラ１１の完全なスレーヴとして動作するように構成することは可能である。）
【００６０】
携帯端末Ｍの制御部３１は、非接触型通信装置１からテキストを受信すると、受信したテキストをタッチパネル３４に表示させる（ステップＳ１０６）。
【００６１】
［１．７．効果］
以上説明したように、第１実施形態における非接触型通信装置１は、携帯端末Ｍに対してメモリ１２ｄに書き込まれた提供情報を非接触で送信可能な非接触型ＩＣカード１０を有し、情報デバイス１４は、メモリ１２ｄに書き込む提供情報を決定するための基情報を生成又は記憶し、コントローラ１１は、情報デバイス１４により生成又は記憶され得る基情報と提供すべき提供情報とを対応付けた提供情報決定条件情報を参照し、情報デバイス１４により生成又は記憶された基情報に対応する提供情報を決定し、決定した提供情報をメモリ１２ｄに書き込む。
【００６２】
したがって、情報デバイス１４が生成又は記憶する基情報に基づいて決定した提供情報をメモリ１２ｄに書き込むことから、作業者がリーダライタを用いて書き換え作業を行う必要が無く、多様な提供情報をユーザＵに提供することができる。
【００６３】
また、第１実施形態における非接触型通信装置１の情報デバイス１４は、非接触型通信装置１の設置場所、非接触型通信装置１の設置された向き、非接触型通信装置１の設置場所における日時、非接触型通信装置１の設置場所の環境（気温、照度など）を示す数値、又は非接触型通信装置１が携帯端末Ｍを検知した回数、の少なくとも何れかの基情報を生成又は記憶する。
【００６４】
したがって、非接触型通信装置１の設置場所、設置された向き、設置場所における日時、設置場所の環境、又は非接触型通信装置１が携帯端末Ｍを検知した回数、に応じた多様な提供情報をユーザに提供することができる。
【００６５】
［２．第２実施形態］
次に、図８〜図１２を参照して、本発明の第２実施形態について説明する。
【００６６】
［２．１．情報提供システムＳＡの構成及び機能］
図８に示すように、第２実施形態における情報提供システムＳＡは、第１実施形態における情報提供システムＳに情報配信サーバ２（「サーバ装置」の一例）を加えた点で第１実施形態と異なる。携帯端末Ｍと情報配信サーバ２とはネットワークＮＷを介して相互にデータ通信ができるようになっている。以下、第２実施形態の説明では、第１実施形態と異なる部分を中心に説明し、第１実施形態と同様の部材や処理については同じ符号を用いて説明を一部省略する。
【００６７】
第２実施形態における情報提供システムＳＡにおいて、情報配信サーバ２は第１実施形態において非接触型通信装置１が提供していた提供情報を提供する役割を担う。一方、非接触型通信装置１は、情報配信サーバ２が提供すべき提供情報を決定できるように後述するＵＲＬ（Uniform Resource Locator）を生成し、メモリ１２ｄのＵＲＬ格納領域に記憶する。生成するＵＲＬは、携帯端末Ｍが情報配信サーバ２にアクセスするためのアクセス情報と、情報配信サーバ２が提供すべき提供情報を決定するためのパラメータ情報（情報デバイス１４から取得される基情報に対応する情報）とからなる。ＵＲＬ格納領域に格納されるＵＲＬはコントローラ１１により適宜更新される。そして、ユーザＵが携帯端末Ｍを非接触型通信装置１にかざすと、携帯端末Ｍが非接触でメモリ１２ｄのＵＲＬ格納領域に記憶されているＵＲＬを読み取り、情報配信サーバ２にアクセスできるようになっている。携帯端末Ｍが情報配信サーバ２にアクセスする際には、パラメータ情報が情報配信サーバ２に送信され、情報配信サーバ２はパラメータ情報に基づいて決定した提供情報を携帯端末Ｍに送信するようになっている。これにより、ユーザＵは情報配信サーバ２を介して提供情報を受け取ることができる。
【００６８】
［２．２．非接触型通信装置１の構成］
第２実施形態における非接触型通信装置１のメモリ１２ｄには、提供情報格納領域の代わりに、ＵＲＬが格納されるＵＲＬ格納領域が設けられている。コントローラ１１は、情報センサー１４から取得した基情報に基づいて、ＵＲＬを生成してメモリ１２ｄのＵＲＬ格納領域に記録する。このとき、コントローラ１１はＵＲＬとともに、当該ＵＲＬに基づいて情報配信サーバ２から提供される提供情報の内容に対応するタイトル情報をＵＲＬ格納領域に記録する。これにより、携帯端末ＭがＵＲＬを取り込んだ段階でタイトルがユーザＵに通知され、ユーザＵは情報配信サーバ２からどういった提供情報が提供されるかを把握することができる。
【００６９】
次に、図９を用いてコントローラ１１によるＵＲＬの作成方法について説明する。図９に示すように、ＵＲＬ１００は、情報配信サーバ２の位置やサービス等を特定するための資源特定部１００ａ（「アクセス情報」の一例）、パラメータ情報部１００ｂ、及び管理部１００ｃとから構成される。資源特定部１００ａは、予め管理者により情報配信サーバ２を示す情報がセットされる。コントローラ１１は、パラメータ情報部１００ｂに情報デバイス１４から取得した基情報に対応する値をセットする。具体的には、情報デバイスである(i)気温センサー、(ii)明るさセンサー、(iii)方位センサー、(iv)ＧＰＳ（Global Positioning System）受信機、(v)時計デバイス、(vi)カウンタメモリが、それぞれ「s1」から「s6」に対応しており、コントローラ１１はそれぞれから取得された値を「sensor01」から「sensor06」にセットする。このとき、コントローラ１１は、非接触型通信装置１に設けられていないなどの理由により値が取得できない情報デバイス１４については値をセットしない。また、コントローラ１１は、管理部１００ｃの「idno」には非接触型通信装置１を他の非接触型通信装置１と識別するための識別情報ＩＤをセットし、「hash_Value」には改竄防止のためのハッシュ値をセットする。ハッシュ値は、コントローラ１１が資源特定部１００ａの冒頭からパラメータ情報部１００ｂの最後の「＆」までの文字列から算出する。
【００７０】
［２．３．携帯端末Ｍの構成］
第２実施形態における携帯端末Ｍのカード読み取りアプリには、ＩＣカードチップ１２内のメモリ１２ｄにおけるＵＲＬ格納領域のアドレスが規定されており、ＵＲＬ格納領域に格納されたタイトルとＵＲＬ１００を取得できるようになっている。また、カード読み取りアプリはタイトルとＵＲＬ１００を取得すると、これらをタッチパネル３４に表示させた上で、ＵＲＬ１００の示す資源（情報配信サーバ２）にアクセスするかをユーザＵに選択させた上で、情報配信サーバ２にアクセスするようになっている。このとき、ＵＲＬ１００に含まれるパラメータ情報１００ｂが情報配信サーバ２に送信される。そして、パラメータ情報１００ｂにセットされた値（基情報）に基づいて決定された提供情報を情報配信サーバ２から受信し、タッチパネル３４に表示させるようになっている。
【００７１】
［２．４．情報配信サーバ２の構成］
次に、情報配信サーバ２の構成について、図１０を用いて説明する。
【００７２】
図１０に示すように、情報配信サーバ２は、制御部２１と、記憶部２２と、通信部２３とを備えている。通信部２３は、ネットワークを介した携帯端末Ｍとの通信を制御するようになっている。
【００７３】
制御部２１は、ＣＰＵ、ＲＡＭ等により構成されている。そして、ＣＰＵが、記憶部２２に記憶された各種プログラムを読み出し実行することにより各種機能を実現する。
【００７４】
記憶部２２は、例えば、ハードディスクドライブ等により構成されており、オペレーティングシステムや、アプリケーションプログラム等の各種プログラムを記憶する。また、記憶部２２は、制御部２１が携帯端末Ｍから送信されるパラメータ情報部１００ｂにセットされた値に基づいて、提供情報としてのテキストを決定する際に参照する判定用データを記憶する。判定用データは、コントローラ１１が提供情報を決定する際に参照する提供情報決定条件情報（図４参照）と同様のデータである。つまり、制御部２１は、第１実施形態においてコントローラ１１が提供情報決定条件情報を参照して基情報に基づいて提供情報を決定したのと同様に、判定用データを参照してパラメータ情報部１００ｂにセットされた値に基づいて提供情報を決定する。なお、記憶部２２は、判定用データを非接触型通信装置１毎に記憶しており、制御部２１は、ＵＲＬ１００の管理部１００ｃに含まれる識別情報ＩＤに基づいて参照すべき判定用データを判別する。
【００７５】
［２．５．非接触型通信装置１の動作］
次に、図１１及び図１２を用いて第２実施形態における非接触型通信装置１の動作について説明する。図１１及び図１２は、非接触型通信装置１がＵＲＬ格納領域のＵＲＬを更新する際の処理例を示す図である。
【００７６】
コントローラ１１は、情報デバイス１４として上記(i)〜(v)の少なくとも何れかが非接触型通信装置１に設けられている場合には、定期的（例えば、情報デバイス１４から受け取る基情報が変化することが予想される間隔毎）に図１１に示す処理を実行する。具体的には、まず、コントローラ１１は、情報デバイス１４から情報を取得する（ステップＳ１１Ａ）。
【００７７】
次に、コントローラ１１は、図９を用いて上述したように、情報デバイス１４から取得した基情報に基づいてＵＲＬ１００を生成する（ステップＳ１２Ａ）。次に、コントローラ１１は、ＩＣカードチップ１２内のメモリ１２ｄのＵＲＬ格納領域を、ステップＳ１２Ａの処理で生成したＵＲＬ１００により更新する（ステップＳ１３Ａ）。
【００７８】
一方、コントローラ１１は、情報デバイス１４として上記(vi)が非接触型通信装置１に設けられている場合において、携帯端末Ｍが非接触型通信装置１にかざされたことが検知された場合には、後述する図１３のステップＳ１０１から、ステップＳ１０５Ａの処理でＵＲＬ格納領域からＵＲＬ１００を読み出される前までに、図１２に示す処理を実行する。具体的には、コントローラ１１は、カウンタの値に「１」を加算し（ステップＳ２１Ａ）、次いで、その時点でのカウンタの値を取得する（ステップＳ２２Ａ）。なお、非接触型通信装置１に(vi)カウンタメモリの他に、上記(i)〜(v)の少なくとも何れかが非接触型通信装置１に設けられている場合には、これらのデバイスからも基情報を取得する。
【００７９】
次に、コントローラ１１は、図９を用いて上述したように、カウンタの値（上記(i)〜(v)の少なくとも何れかが非接触型通信装置１に設けられている場合には、これらのデバイスから取得した基情報も）に基づいてＵＲＬ１００を生成する（ステップＳ２３Ａ）。次に、コントローラ１１は、ＩＣカードチップ１２内のメモリ１２ｄのＵＲＬ格納領域を、ステップＳ２３Ａの処理で生成したＵＲＬ１００により更新する（ステップＳ２４Ａ）。
【００８０】
［２．６．情報提供システムＳＡの動作］
次に、図１３を用いて第２実施形態における情報提供システムＳＡの動作について説明する。図１３は、携帯端末Ｍ１が非接触型通信装置１のＩＣカードチップに記憶されたＵＲＬ１００を取得し、次いで、ＵＲＬ１００に基づいて情報配信サーバ２にアクセスして提供情報を取得し、表示する際の処理例を示すシーケンス図である。
【００８１】
ステップＳ１０１からステップＳ１０４までは第１実施形態と同様なので説明を省略する。非接触型通信装置１のコントローラ１２ｅは、ステップＳ１０４の処理で携帯端末Ｍからカード読取コマンドを受信すると、ステップＳ１０２の処理で送信したカードＩＤと同じカードＩＤが含まれているか確認する。コントローラ１２ｅは、同じカードＩＤがカード読取コマンドに含まれていると判定した場合には、カード読取コマンドに含まれているメモリ領域指定情報の示すアドレスを参照し、メモリ１２ｄのＵＲＬ格納領域に格納されているタイトル及びＵＲＬ１００を携帯端末Ｍに送信させる（ステップＳ１０５Ａ）。
【００８２】
なお、情報デバイス１４として(vi)カウンタメモリが設けられている場合には、コントローラ１２ｅは、ＵＲＬ格納領域に格納されているＵＲＬ１００を読み出す前までに図１２に示す処理をコントローラ１１に実行させることとする。すなわち、コントローラ１１は携帯端末Ｍが非接触型通信装置１にかざされたことによりカウンタの値を加算し、これに伴って新たに生成したＵＲＬ１００でＵＲＬ格納領域を更新する。その後、コントローラ１２ｅがＵＲＬ格納領域に格納されているＵＲＬ１００及びタイトルを読み出して、携帯端末Ｍに送信することとなる。これを実現するため、情報デバイス１４として(vi)カウンタメモリが設けられている場合は、コントローラ１２ｅは、コントローラ１１の完全なスレーヴとして動作するように制御されること、および、コントローラ１１は、図１２に示した処理を、ステップＳ１０１とＳ１０２の間、またはステップＳ１０４とＳ１０５Ａの間のいずれかにおいて実行すればよいこと、は第１実施形態と同様である。
【００８３】
携帯端末Ｍの制御部３１は、非接触型通信装置１からタイトル及びＵＲＬ１００を受信すると、受信したタイトルをタッチパネル３４に表示させる（ステップＳ１０６Ａ）。このとき、合わせてＵＲＬ１００を表示させることとしてもよい。また、制御部３１は、「アクセスしますか？」といったテキストとともに、「ＹＥＳ」ボタン及び「ＮＯ」ボタンを表示させるなどして、タイトルに対応するＵＲＬ１００に基づいて情報配信サーバ２にアクセスするか否かをユーザＵに選択させる。ユーザＵによりアクセスすることが選択されると、制御部３１は、ＵＲＬ１００に基づいて情報配信サーバ２にアクセスする。
【００８４】
情報配信サーバ２の制御部２１は、携帯端末Ｍからのアクセスを検知すると、コントローラ１１と同様の計算方法によりハッシュ値を計算し、ＵＲＬ１００の管理部１００ｃに含まれるハッシュ値と同じ値であるか否かを確認する。同じ値である場合には、制御部２１は、管理部１００ｃに含まれる識別情報ＩＤで特定される判定用データを参照し、パラメータ情報部１００ｂにセットされている値（基情報）に基づいて提供情報（テキスト）を決定する（ステップＳ１０８Ａ）。次いで、制御部２１は、決定した提供情報（テキスト）を携帯端末Ｍに送信する（ステップＳ１０９Ａ）。
【００８５】
携帯端末Ｍの制御部３１は、情報配信サーバ２からから提供情報（テキスト）を受信すると、受信したテキストをタッチパネル３４に表示させる（ステップＳ１１０Ａ）。
【００８６】
［２．７．効果］
以上説明したように、第２実施形態における非接触型通信装置１は、携帯端末Ｍに対してメモリ１２ｄに書き込まれた情報を非接触で送信可能な非接触型ＩＣカード１０を有し、情報デバイス１４が提供情報を決定するための基情報を生成又は記憶し、コントローラ１１は、基情報に基づいて携帯端末Ｍに対して提供する提供情報を決定する情報配信サーバ２にアクセスするための資源特定部１００ａと、情報デバイス１４により生成又は記憶された基情報に基づいて値をセットしたパラメータ情報部１００ｂと、を含むＵＲＬ１００を生成してメモリ１２ｄに書き込む。
【００８７】
したがって、情報配信サーバ２に携帯端末Ｍが基情報を送信できるように、当該基情報に対応するパラメータ情報部１００ｂと情報配信サーバ２にアクセスするための資源特定部１００ａとを含むＵＲＬ１００をメモリ１２ｄに書き込むことから、作業者がリーダライタを用いて書き換え作業を行う必要が無く、情報配信サーバ２により基情報に基づいて決定される多様な提供情報を、情報配信サーバ２を介してユーザに提供することができる。
【００８８】
［３．第３実施形態］
次に、図１４〜図１７を参照して、本発明の第３実施形態について説明する。
【００８９】
［３．１．情報提供システムＳＢの構成及び機能］
図１３に示すように、第３実施形態における情報提供システムＳＢは、第１実施形態における情報提供システムＳにカメラＣＭと外部処理装置４を加えた点、及び非接触型通信装置１の代わりにＩＣカード情報書換装置１Ｂを有する点で第１実施形態と異なる。カメラＣＭはＩＣカード情報書換装置１Ｂ付近に設置され、定期的（例えば、２秒毎）に撮影した画像を外部処理装置４に送信する。外部処理装置４は、受信した画像を解析し、人間が写っている否かを判別し、人間が写っている場合にはその人物を解析して人物情報（男性であるか女性であるか、又は子供であるか大人であるかなどを示す情報）を生成する。画像からその画像に写っている人物を解析する方法については公知の解析方法を用いる。外部処理装置４は人物情報を生成すると、ＩＣカード情報書換装置１Ｂに送信する。ＩＣカード情報書換装置１Ｂは受信した人物情報（基情報の一例）に基づいて提供情報を決定し、提供情報格納領域を更新する。つまり、第３実施形態における情報提供システムＳＢは、情報デバイス１４から取得した情報に基づいて提供情報を決定する代わりに、外部処理装置４にて生成された人物情報に基づいて提供情報を決定する点で、第１実施形態と異なる。以下、第３実施形態の説明では、第１実施形態と異なる部分を中心に説明し、第１実施形態と同様の部材や処理については同じ符号を用いて説明を一部省略する。
【００９０】
［３．２．ＩＣカード情報書換装置１Ｂの構成］
図１５に示すように、第３実施形態におけるＩＣカード情報書換装置１Ｂは、非接触型通信装置１とほぼ同様の構成を有しているが、情報デバイス１４を備えておらず、代わりに外部処理装置４から人物情報を受信するための電気的・機械的な接続部分としての外部インターフェース１６（「外部インターフェース手段」の一例）を備えている。外部インターフェース１６は、外部処理装置４からの信号ケーブル等を収容固定し、コントローラ１１の入出力ポートに導く端子に接続するコネクタ等を含み、必要であれば外部処理装置４から受信した信号をコントローラ１１が処理可能な信号レベルに変換する回路を含んでもよい。
【００９１】
第３実施形態におけるコントローラ１１は、外部処理装置４から人物情報を受け取り、当該人物情報に基づいてＩＣカードチップ１２のメモリ１２ｄに書き込む提供情報を決定する。コントローラ１１は、決定した提供情報によりＩＣカードチップ１２のメモリ１２ｄに記録されている提供情報を更新する。
【００９２】
［３．３．外部処理装置４の構成］
外部処理装置４は図１０を用いて説明した第２実施形態における情報配信サーバ２と同様に制御部、記憶部及び通信部を有している。外部処理装置４の記憶部には上述した画像解析、人物解析を行うための解析プログラムが記録されている。外部処理装置４の制御部は、カメラＣＭから画像を受け取る度に解析を行い、画像に人間が写っている場合にはその人物に関する人物情報を生成し、ＩＣカード情報書換装置１Ｂに送信する。
【００９３】
［３．４．提供情報決定条件］
【００９４】
次に、図１６を用いて、第３実施形態においてＩＣカード情報書換装置１Ｂのコントローラ１１が提供情報を決定する際の提供情報決定条件について説明する。
【００９５】
コントローラ１１は、外部処理装置４から受け取った人物情報に基づいて提供情報を決定する。例えば、コントローラ１１は、人物情報が子供で且つ男性であることを示している場合には「ＴＶゲーム、リアルサッカースタジアム２０１１新発売！」といったテキスト情報を提供情報として決定し、人物情報が子供で且つ女性であることを示している場合には「着せ替え人形  きょうこちゃん新発売！」といったテキスト情報を提供情報として決定し、人物情報が大人で且つ男性であることを示している場合には「深ぞり  ７枚刃ひげ剃り新発売！」といったテキスト情報を提供情報として決定し、人物情報が大人で且つ女性であることを示している場合には「格安ネールサロン○×△  新規オープン！」といったテキスト情報を提供情報として決定する。これにより、カメラに写った人物（ＩＣカード情報書換装置１Ｂ付近にいる人物で、ユーザＵと推測される人物）に応じたテキスト情報をユーザＵに提供することができる。
【００９６】
［３．５．ＩＣカード情報書換装置１Ｂの動作］
次に、図１７を用いて第３実施形態におけるＩＣカード情報書換装置１Ｂの動作について説明する。図１７は、ＩＣカード情報書換装置１Ｂが提供情報格納領域の提供情報を更新する際の処理例を示すフローチャートである。
【００９７】
コントローラ１１は、外部処理装置４から人物情報を受け取る度に図１７に示す処理を実行する。具体的には、コントローラ１１は、外部処理装置４から人物情報を取得すると（ステップＳ１１Ｂ）、図１６を用いて上述したように、取得した人物情報に基づいてテキストを決定する（ステップＳ１２Ｂ）。次に、コントローラ１１は、ＩＣカードチップ１２内のメモリ１２ｄの提供情報格納領域を、ステップＳ１２Ｂの処理で決定したテキストにより更新する（ステップＳ１３Ｂ）。
【００９８】
［３．６．情報提供システムＳＢの動作］
第３実施形態における情報提供システムＳＢの動作については、非接触型通信装置１の役割をＩＣカード情報書換装置１Ｂが果たす点を除き、第１実施形態における情報提供システムＳの動作と同様なので説明を省略する。
【００９９】
［３．７．効果］
以上説明したように、第３実施形態におけるＩＣカード情報書換装置１Ｂは、携帯端末Ｍに対してメモリ１２ｄに書き込まれた提供情報を非接触で送信可能な非接触型ＩＣカード１０を有し、外部インターフェース１６が提供情報を決定するための基情報を外部から受け付け、コントローラ１１が、外部インターフェース１６が受け取り得る基情報と提供すべき提供情報とを対応付けた提供情報決定条件情報を参照し、外部インターフェース１６が受け取った基情報に対応する提供情報を決定し、決定した提供情報をメモリ１２ｄに書き込む。
【０１００】
したがって、外部処理装置４から受け取った人物情報に基づいて決定した提供情報をメモリ１２ｄに書き込むことから、作業者がリーダライタを用いて書き換え作業を行う必要が無く、多様な提供情報をユーザＵに提供することができる。
【０１０１】
［３．８．変形例］
第３実施形態では、カメラＣＭが撮影した画像に基づいて外部処理装置４が人物情報を生成し、ＩＣカード情報書換装置１Ｂは人物情報に基づいてテキストを決定するが、これに代えて、ディスプレイ（例えば、デジタルサイネージ）に接続された外部処理装置４が、ディスプレイにより表示されている表示内容を示す表示内容情報（基情報の一例）をＩＣカード情報書換装置１Ｂに送信し、ＩＣカード情報書換装置１Ｂが表示内容情報に基づいてテキストを決定する構成としてもよい。
【０１０２】
例えば、ディスプレイにＡ社が製造販売する商品Ｂを表示している場合には、外部処理装置４がその旨を示す表示内容情報をＩＣカード情報書換装置１Ｂに送信し、ＩＣカード情報書換装置１Ｂは当該表示内容情報に基づいてＡ社の商品Ｂに関する情報（例えば、会社名、商品名、販売価格、商品の特徴等）を表すテキストを決定する。なお、この場合、ＩＣカード情報書換装置１Ｂのメモリ１５には、予め外部処理装置４から送信される表示内容情報毎に対応するテキストを記憶させておくこととする。これにより、ＩＣカード情報書換装置１Ｂの付近に設置されたディスプレイにより表示された表示内容に対応するテキスト（提供情報）をユーザＵに提供することができる。
【０１０３】
また、ＩＣカード情報書換装置１Ｂに第１実施形態で説明した情報デバイス１４を更に設けることとし、情報デバイス１４から受け取る基情報と、外部処理装置４から受け取る人物情報との両情報に基づいて、テキストを決定することとしてもよい。これにより、例えば、時計デバイスから現在時刻が午前８時であることを示す基情報を受け取り、外部処理装置４から大人で且つ男性であることを示す人物情報を受け取った場合には、胃腸薬に関する商品情報を提供し、一方、午後８時であることを示す基情報と、大人で且つ男性であることを示す人物情報を受け取った場合には、ウィスキーに関する商品情報を提供することができる。
【０１０４】
また、ＩＣカード情報書換装置１Ｂのコントローラ１１に代わり、外部処理装置４が自ら生成した人物情報に基づいてテキスト（提供情報）を決定し、テキスト（提供情報）そのものをＩＣカード情報書換装置１Ｂに送信することとし、ＩＣカード情報書換装置１Ｂのコントローラ１１は受信したテキスト（提供情報）を提供情報格納領域に格納する構成としても、提供情報をユーザＵに提供することができる。このとき、外部処理装置４の記憶部には提供情報決定条件情報（図１６参照）を記憶させておくこととし、外部処理装置４の制御部は提供情報決定条件情報を参照して、テキスト（提供情報）を決定することとする。当該構成によれば、外部処理装置４から受け付けた提供情報をメモリ１２ｄに書き込むことから、作業者がリーダライタを用いて書き換え作業を行う必要が無く、人物情報に基づいて決定される多様な提供情報をユーザＵに提供することができる。
【０１０５】
［４．第４実施形態］
次に、図１８〜図２０を参照して、本発明の第４実施形態について説明する。
【０１０６】
［４．１．情報提供システムＳＣの構成及び機能］
図１８に示すように、第４実施形態における情報提供システムＳＣは、第２実施形態における情報提供システムＳＡと第３実施形態における情報提供システムＳＢとを組み合わせた構成となっている。すなわち、情報提供システムＳＣは、携帯端末Ｍ、ＩＣカード情報書換装置１Ｂ、情報配信サーバ２、カメラＣＭ、及び外部処理装置４を含む構成となっている。以下、第４実施形態の説明では、第２実施形態、第３実施形態と異なる部分を中心に説明し、同様の部材や処理については同じ符号を用いて説明を一部省略する。
【０１０７】
第４実施形態における情報提供システムＳＣにおいて、情報配信サーバ２は第３実施形態においてＩＣカード情報書換装置１Ｂが提供していた提供情報を提供する役割を担う。一方、ＩＣカード情報書換装置１Ｂは後述するＵＲＬを生成し、メモリ１２ｄのＵＲＬ格納領域に記憶する。生成するＵＲＬは、携帯端末Ｍが情報配信サーバ２にアクセスするためのアクセス情報と、情報配信サーバ２が提供すべき提供情報を決定するためのパラメータ情報（外部処理装置４から取得される人物情報（基情報の一例）に対応する）とからなる。ＵＲＬ格納領域に格納されるＵＲＬは、外部処理装置４から人物情報を受け取る度にコントローラ１１により適宜更新される。そして、ユーザＵが携帯端末ＭをＩＣカード情報書換装置１Ｂにかざすと、携帯端末Ｍが非接触でメモリ１２ｄのＵＲＬ格納領域に記憶されているＵＲＬを読み取り、情報配信サーバ２にアクセスできるようになっている。携帯端末Ｍが情報配信サーバ２にアクセスする際には、パラメータ情報が情報配信サーバ２に送信され、情報配信サーバ２はパラメータ情報に基づいて決定した提供情報を携帯端末Ｍに送信するようになっている。これにより、ユーザＵは情報配信サーバ２を介して提供情報を受け取ることができる。
【０１０８】
［４．２．ＩＣカード情報書換装置１Ｂの構成］
第４実施形態におけるＩＣカード情報書換装置１Ｂのメモリ１２ｄには、第２実施形態における非接触型無線装置１のメモリ１２ｄと同様に、ＵＲＬが格納されるＵＲＬ格納領域が設けられている。コントローラ１１は、外部処理装置４から取得した人物情報に基づいて、ＵＲＬを生成してメモリ１２ｄのＵＲＬ格納領域に記録する。このとき、コントローラ１１はＵＲＬとともに、当該ＵＲＬに基づいて情報配信サーバ２から提供される提供情報の内容に対応するタイトル情報をＵＲＬ格納領域に記録する。
【０１０９】
次に、図１９を用いて第４実施形態におけるＩＣカード情報書換装置１Ｂのコントローラ１１によるＵＲＬの作成方法について説明する。図１９に示すように、ＵＲＬ１０１は、情報配信サーバ２の位置やサービス等を特定するための資源特定部１０１ａ（「アクセス情報」の一例）、パラメータ情報部１０１ｂ、及び管理部１０１ｃとから構成される。資源特定部１０１ａは、予め管理者により情報配信サーバ２を示す情報がセットされる。コントローラ１１は、パラメータ情報部１０１ｂに外部処理装置４から取得した人物情報（「基情報」の一例）に応じた値をセットする。具体的には、人物情報における子供であるか大人であるかを示す情報が「ya」に対応しており、「youngadult」に子供である場合には「０」を、大人である場合には「１」をセットする。また、人物情報における男性であるか女性であるかを示す情報が「mf」に対応しており、「malefemale」に女性である場合には「０」を、男性である場合には「１」をセットする。また、コントローラ１１は、管理部１０１ｃの「idno」にはＩＣカード情報書換装置１Ｂを他のＩＣカード情報書換装置１Ｂと識別するための識別情報ＩＤをセットし、「hash_Value」には改竄防止のためのハッシュ値をセットする。ハッシュ値は、コントローラ１１が資源特定部１０１ａの冒頭からパラメータ情報部１０１ｂの最後の「＆」までの文字列から計算する。
【０１１０】
［４．３．携帯端末Ｍの構成］
第４実施形態における携帯端末Ｍの構成は、第２実施形態における携帯端末Ｍの構成と同様なので説明を省略する。
【０１１１】
［４．４．情報配信サーバ２の構成］
第４実施形態における情報配信サーバ２の記憶部２２は、制御部２１が携帯端末Ｍから送信されるパラメータ情報１０１ｂの値に基づいて、提供情報としてのテキストを決定する際に参照する判定用データを記憶する。判定用データは、コントローラ１１が提供情報を決定する際に参照する提供情報決定条件情報（図１６参照）と同様のデータである。つまり、制御部２１は、第３実施形態においてコントローラ１１が提供情報決定条件情報を参照して人物情報に基づいて提供情報を決定したのと同様に、判定用データを参照してパラメータ情報に基づいて提供情報を決定する。なお、記憶部２２は、判定用データをＩＣカード情報書換装置１Ｂ毎に記憶しており、制御部２１は、ＵＲＬ１０１の管理部１０１ｃに含まれる識別情報ＩＤに基づいて参照すべき判定用データを判別する。
【０１１２】
［４．５．ＩＣカード情報書換装置１Ｂの動作］
次に、図２０を用いて第４実施形態におけるＩＣカード情報書換装置１Ｂの動作について説明する。図２０は、ＩＣカード情報書換装置１ＢがＵＲＬ格納領域のＵＲＬを更新する際の処理例を示す図である。
【０１１３】
コントローラ１１は、外部処理装置４から人物情報を受け取る度に図２０に示す処理を実行する。具体的には、コントローラ１１は、外部処理装置４から人物情報を取得すると（ステップＳ１１Ｃ）、図１９を用いて上述したように、取得した人物情報に基づいてＵＲＬ１０１を生成する（ステップＳ１２Ｃ）。次に、コントローラ１１は、ＩＣカードチップ１２内のメモリ１２ｄのＵＲＬ格納領域を、ステップＳ１２Ｃの処理で生成したＵＲＬ１０１により更新する（ステップＳ１３Ｃ）。
【０１１４】
［４．６．情報提供システムＳＣの動作］
第４実施形態における情報提供システムＳＣの動作については、非接触型通信装置１の役割をＩＣカード情報書換装置１Ｂが果たす点を除き、第２実施形態における情報提供システムＳＡの動作と同様なので説明を省略する。
【０１１５】
［４．７．効果］
以上説明したように、第４実施形態におけるＩＣカード情報書換装置１Ｂは、携帯端末Ｍに対してメモリ１２ｄに書き込まれた情報を非接触で送信可能な非接触型ＩＣカード１０を有し、外部インターフェース１６が、提供情報を決定するための人物情報を外部処理装置４から受け付け、コントローラ１１は、人物情報に基づいて携帯端末Ｍに対して提供する提供情報を決定する情報配信サーバ２にアクセスするための資源特定部１０１ａと、外部処理装置４から受け付けた人物情報に対応する値をセットしたパラメータ情報部１０１ｂと、を含むＵＲＬ１０１を生成してメモリ１２ｄに書き込む。
【０１１６】
したがって、携帯端末Ｍが、人物情報に基づいて提供情報を決定する情報配信サーバ２に当該人物情報を送信できるように、当該人物情報と情報配信サーバ２にアクセスするためのアクセス情報とをメモリ１２ｄに書き込むことから、作業者がリーダライタを用いて書き換え作業を行う必要が無く、情報配信サーバ２により人物情報に基づいて決定される多様な提供情報を、情報配信サーバ２を介してユーザに提供することができる。
【０１１７】
［４．８．変形例］
第４実施形態では、カメラＣＭが撮影した画像に基づいて外部処理装置４が人物情報を生成し、ＩＣカード情報書換装置１Ｂは人物情報に基づいてＵＲＬ１０１を生成するが、これに代えて、ディスプレイ（例えば、デジタルサイネージ）に接続された外部処理装置４が、ディスプレイにより表示されている表示内容を示す表示内容情報（「基情報」の一例）をＩＣカード情報書換装置１Ｂに送信し、ＩＣカード情報書換装置１Ｂが表示内容情報に基づいてパラメータ情報部１０１ｂを編集し、ＵＲＬ１０１を生成する構成としてもよい。この場合、情報配信サーバ２の記憶部２２には、制御部２１がパラメータ情報部１０１ｂにセットされたパラメータ情報に基づいて、テキスト（提供情報）を決定できるように判定用データを記憶させることとする。
【０１１８】
例えば、ディスプレイにＡ社が製造販売する商品Ｂを表示している場合には、外部処理装置４がその旨を示す表示内容情報をＩＣカード情報書換装置１Ｂに送信し、ＩＣカード情報書換装置１Ｂは当該表示内容情報に基づいてＵＲＬ１０１を生成する。なお、この場合、パラメータ情報部１０１ｂには、製造販売会社としてＡ社を特定するための情報と、商品として商品Ｂを特定するための情報をセットすることとする。また、情報配信サーバ２の記憶部２２には、製造販売会社を特定するための情報と、商品を特定するための情報とに対応付けて、商品情報を表すテキストを記憶させておくこととする。
【０１１９】
また、ＩＣカード情報書換装置１Ｂに第１実施形態で説明した情報デバイス１４を設けることとし、情報デバイス１４から受け取る基情報と、外部処理装置４から受け取る人物情報との両情報に基づいて、パラメータ情報を編集したＵＲＬを生成する構成も考えられる。このとき、情報配信サーバ２も基情報と人物情報との両情報に基づいて提供情報を決定できるように判定用データを記憶することとする。
【０１２０】
また、ＩＣカード情報書換装置１Ｂのコントローラ１１に代わり、外部処理装置４が自ら生成した人物情報に基づいて更にＵＲＬ１０１を生成し、ＵＲＬ１０１そのものをＩＣカード情報書換装置１Ｂに送信することとし、ＩＣカード情報書換装置１Ｂのコントローラ１１は受信したＵＲＬ１０１をＵＲＬ格納領域に格納する構成としても、人物情報に基づいて決定された提供情報をユーザＵに提供することができる。
【符号の説明】
【０１２１】
Ｓ、ＳＡ、ＳＢ、ＳＣ  情報提供システム
１  非接触型通信装置
１Ｂ  ＩＣカード情報書換装置
１０非接触型ＩＣカード
１１  コントローラ
１２  ＩＣカードチップ
１２ａ  整流回路
１２ｂ  復調回路
１２ｃ  変調回路
１２ｄ  メモリ
１２ｅ  コントローラ
１３  アンテナ
１４  情報デバイス
１５  メモリ
１６  外部インターフェース
Ｍ  携帯端末
２  情報配信サーバ
ＣＭ  カメラ
４  外部処理装置
【図１】
0005786493.tif 000002
【図２】
0005786493.tif 000003
【図３】
0005786493.tif 000004
【図４】
0005786493.tif 000005
【図５】
0005786493.tif 000006
【図６】
0005786493.tif 000007
【図７】
0005786493.tif 000008
【図８】
0005786493.tif 000009
【図９】
0005786493.tif 000010
【図１１】
0005786493.tif 000011
【図１２】
0005786493.tif 000012
【図１４】
0005786493.tif 000013
【図１５】
0005786493.tif 000014
【図１６】
0005786493.tif 000015
【図１７】
0005786493.tif 000016
【図１８】
0005786493.tif 000017
【図１９】
0005786493.tif 000018
【図２０】
0005786493.tif 000019
【図１０】
0005786493.tif 000020
【図１３】
0005786493.tif 000021